(57)【要約】【課題】除湿装置において、除湿能力の更なる向上を図ることを目的とする。【解決手段】第一の吸気口１と第二の吸気口２と排気口３を有する本体ケース４内にヒートポンプ５と、第一の吸気口１から放熱器７、吸熱器９、第一の送風手段１１を順次介して排気口３へと送風する第一の送風路１０と、第二の吸気口２から吸熱器９、第一の送風手段１１を介して排気口３へと送風する第二の送風路１２と、第一の吸気口１から放熱器７、第二の送風手段１４を介して排気口３へと送風する第三の送風路１３と、第一の送風路１０の放熱器７と吸熱器９の間に除湿ローター１５の放湿部１６を設け、吸湿部１７は第一の送風路１０と第二の送風路１２の吸熱器９と排気口３の間に設け、第二の送風路１２の吸熱器９の上流側送風路と第二の送風手段１４とを連通する連通路２１を備え、この連通路２１に静電霧化手段２２を設け、連通路２１の送風手段側に負圧発生手段２３を設ける。【選択図】図１
2010234252.tif 000002
【特許請求の範囲】
【請求項１】
第一の吸気口と第二の吸気口と排気口を有する本体ケースと、この本体ケース内に設けられたヒートポンプとを備え、前記ヒートポンプは、圧縮機と、圧縮機の下流に順次設けた放熱器、膨張手段、吸熱器とにより形成し、前記第一の吸気口から本体ケース内に吸気した空気を放熱器、吸熱器を順次介して排気口へと送風する第一の送風路と、前記第二の吸気口から本体ケース内に吸気した空気を吸熱器を介して排気口へと送風する第二の送風路と、前記第一の吸気口から本体ケース内に吸気した空気を放熱器を介して排気口へと送風する第三の送風路と、これら第一、第二の送風路に送風するための第一の送風手段と、前記第三の送風路に送風するための第二の送風手段とを設けるとともに、前記第一の送風路の放熱器と吸熱器の間に除湿ローターの放湿部を設け、この除湿ローターの吸湿部は前記第一と第二の送風路の吸熱器と排気口の間に設け、前記第二の送風路の吸熱器の上流側送風路と前記第二の送風手段とを連通する連通路を備え、この連通路に静電霧化手段を設け、前記連通路の前記送風手段側に負圧発生手段を設けた除湿装置。
【請求項２】
静電霧化手段は、放電電極と、この放電電極に対向して配置された対向電極と、前記放電電極と前記対向電極との間に高電圧を印加する高圧印加部と、前記放電電極を冷却する冷却部と、この冷却部の熱を放熱する放熱フィン部とから形成し、この放熱フィン部を第一の送風手段内に突出させ設けた請求項１記載の除湿装置。
【請求項３】
第一の送風手段と第二の送風手段とは、両吸込型のケーシングと、このケーシング内に設けた電動機と、この電動機により回転する羽根とから形成し、前記ケーシングは、第一のケーシングと第二のケーシングとから形成し、前記羽根は主板の一方面から延びた第一のブレード部と、主板の他方面から延びた第二のブレード部とから成り、前記第一のケーシングと前記第二のケーシングとの間に仕切板を備え、前記第一の送風手段は、電動機と前記第一のケーシングと前記羽根の前記第一のブレード部とから形成し、前記第二の送風手段は、電動機と前記第二のケーシングと前記羽根の前記第二のブレード部とから形成し、前記第二のケーシングの吐出口近傍に前記連通路を設けた請求項１または２のいずれかに記載の除湿装置。
【請求項４】
負圧発生手段は、第二のケーシング側周面から舌部側へ突出した突出部である請求項１〜３のいずれかに記載の除湿装置。
【請求項５】
負圧発生手段は、前記第二のケーシングの前記仕切板寄りに設けた請求項１〜４のいずれかに記載の除湿装置。
【請求項６】
負圧発生手段は、前記連通路の一部である請求項１〜５のいずれかに記載の除湿装置。
【請求項７】
静電霧化手段の前記放熱フィン部は、前記冷却部に接した放熱平板部と、この放熱平板部から垂直方向に延びた複数のフィン部から形成された請求項２〜６のいずれかに記載の除湿装置。
【請求項８】
静電霧化手段の放熱フィン部は、前記仕切板より第一の送風手段内に突出させた請求項７記載の除湿装置。
【請求項９】
静電霧化手段の前記放熱フィン部の前記フィン部は、略四角形平板形状で、第一の送風手段内の風向とほぼ平行に設けられた請求項７記載の除湿装置。
【発明の詳細な説明】
【技術分野】
【０００１】
本発明は、ヒートポンプを活用した除湿装置に関する。
【背景技術】
【０００２】
従来のこの種、除湿装置の構成は以下のようになっていた。
【０００３】
すなわち、吸気口と排気口を有する本体ケースと、この本体ケース内に設けられたヒートポンプとを備え、前記ヒートポンプは、圧縮機と、圧縮機の下流に順次設けた放熱器、膨張手段、吸熱器とにより形成し、前記吸気口から本体ケース内に吸気した空気を放熱器、吸熱器を順次介して排気口へと送風する送風手段を設けた構成となっていた（例えば、特許文献１参照）。
【特許文献１】特開平０６−３３１１６７号公報
【発明の開示】
【発明が解決しようとする課題】
【０００４】
上記従来例における課題は、洗濯物からの臭い発生が起きるということであった。
【０００５】
すなわち、従来の物においては、室内に洗濯物を干し、その洗濯物に室内の空気を除湿し温風として送風することにより、洗濯物を乾燥させていた。しかし、洗濯物の汚れがひどく、洗濯をしても完全に汚れが落ちていない場合には、生乾き部分があると洗濯物から臭いが発生する場合があった。
【０００６】
そこで本発明は、洗濯物の生乾き部分からの臭い発生を抑制することを目的とするものである。
【課題を解決するための手段】
【０００７】
そしてこの目的を達成するために本発明は、第一、第二の吸気口と排気口を有する本体ケースと、この本体ケース内に設けられたヒートポンプとを備え、前記ヒートポンプは、圧縮機と、圧縮機の下流に順次設けた放熱器、膨張手段、吸熱器とにより形成し、前記第一の吸気口から本体ケース内に吸気した空気を放熱器、吸熱器を順次介して排気口へと送風する第一の送風路と、前記第二の吸気口から本体ケース内に吸気した空気を吸熱器を介して排気口へと送風する第二の送風路と、前記第一の吸気口から本体ケース内に吸気した空気を放熱器を介して排気口へと送風する第三の送風路と、これら第一、第二の送風路に送風するための第一の送風手段と、前記第三の送風路に送風するための第二の送風手段とを設けるとともに、前記第一の送風路の放熱器と吸熱器の間に除湿ローターの放湿部を設け、この除湿ローターの吸湿部は前記第一と第二の送風路の吸熱器と排気口の間に設け、前記第二の送風路の吸熱器の上流側送風路と前記第二の送風手段とを連通する連通路を備え、この連通路に静電霧化手段を設け、前記連通路の前記送風手段側に負圧発生手段を設け、これにより初期の目的を達成するものである。
【発明の効果】
【０００８】
以上のように本発明は、第一、第二の吸気口と排気口を有する本体ケースと、この本体ケース内に設けられたヒートポンプとを備え、前記ヒートポンプは、圧縮機と、圧縮機の下流に順次設けた放熱器、膨張手段、吸熱器とにより形成し、前記第一の吸気口から本体ケース内に吸気した空気を放熱器、吸熱器を順次介して排気口へと送風する第一の送風路と、前記第二の吸気口から本体ケース内に吸気した空気を吸熱器を介して排気口へと送風する第二の送風路と、前記第一の吸気口から本体ケース内に吸気した空気を放熱器を介して排気口へと送風する第三の送風路と、これら第一、第二の送風路に送風するための第一の送風手段と、前記第三の送風路に送風するための第二の送風手段とを設けるとともに、前記第一の送風路の放熱器と吸熱器の間に除湿ローターの放湿部を設け、この除湿ローターの吸湿部は前記第一と第二の送風路の吸熱器と排気口の間に設け、前記第二の送風路の吸熱器の上流側送風路と前記第二の送風手段とを連通する連通路を備え、この連通路に静電霧化手段を設け、前記連通路の前記送風手段側に負圧発生手段を設けたものであり、洗濯物の生乾き部分からの臭い発生を抑制することが出来るものである。
【０００９】
すなわち、本発明では、第二の送風路の吸熱器の上流側送風路と第二の送風手段とを連通する連通路を備え、この連通路に静電霧化手段を設け、この連通路の送風手段側に負圧発生手段を設けたので、第二の吸気口から本体ケース内に吸気した室内の空気を、負圧発生手段によって連通路の静電霧化手段に送り、この静電霧化手段によって室内の空気から帯電微粒子水を発生させる。この帯電微粒子水は除湿された乾燥空気と共に、洗濯物に送風され、ここで、帯電微粒子水と洗濯物の臭気成分が反応し、帯電微粒子水中のヒドロキシルラジカルによって臭気成分を分解除去することができるものである。つまり、ヒドロキシルラジカルとはヒドロキシ基（水酸基）に対応するラジカルであり、このラジカルは、通常は  ２個１組で軌道上を回転しているはずの電子が１つしかなく、電気的に非常に不安的であり、周りの原子や分子から欠けた電子を奪おうとするため、酸化力が強いものである。この酸化力によって臭気成分を分解除去することができるものである。
【００１０】
これらの結果により、洗濯物の生乾き部分からの臭い発生を抑制することができるものである。
【発明を実施するための最良の形態】
【００１１】
以下本発明の一実施形態を添付図面を用いて説明する。
【００１２】
図１に示すように、本実施形態の除湿装置は、第一の吸気口１と第二の吸気口２と排気口３とを有する本体ケース４と、この本体ケース４内に設けられたヒートポンプ５とを備えている。このヒートポンプ５は、圧縮機６と、圧縮機６の下流に順次設けた放熱器７、膨張手段８、吸熱器９とにより形成している。ここで、第一の吸気口１および第二の吸気口２から本体ケース４内に空気が吸気され、この吸気された空気は、３つの送風路に分かれ、本体ケース４内を流れた後再び１つに集まり、排気口３から室内へと送風される。
【００１３】
まず、第一の送風路１０は、第一の吸気口１から本体ケース４内に吸気した空気を放熱器７、吸熱器９、第一の送風手段１１を順次介して排気口３へと連通する送風路である。次に、第二の送風路１２は、第二の吸気口２から本体ケース４内に吸気した空気を吸熱器９、第一の送風手段１１を介して排気口３へと連通する送風路である。最後に、第三の送風路１３は、第一の吸気口１から本体ケース内に吸気した空気を放熱器７、第二の送風手段１４を介して排気口３へと連通する送風路である。ここで、第一の送風路１０の放熱器７と吸熱器９の間に除湿ローター１５の放湿部１６を設け、この除湿ローター１５の吸湿部１７は第一の送風路１０と第二の送風路１２の吸熱器９と排気口３の間に設けたものである。
【００１４】
すなわち、圧縮機６で加圧された冷媒は、放熱器７に送られ、ここで第一の吸気口１および第二の吸気口２から本体ケース４内に吸気された空気を加熱する。次に、放熱器７を通過した冷媒は、膨張手段８に到達し、その後、吸熱器９を介して、圧縮機６へと戻るサイクルになっている。
【００１５】
第一の送風路１０では、第一の送風手段１１によって、第一の吸気口１から本体ケース４内に吸気した空気を放熱器７で加熱し、その空気は、次にヒーター１８で加熱され、その後除湿ローター１５の放湿部１６を通過し、ここで放湿部１６からの湿気を奪った状態で吸熱器９へと流れることになる。また、第二の送風路１２では、第一の送風手段１１によって、第二の吸気口２から本体ケース４内に吸気した空気が吸熱器９へと流れることになる。これらの空気はまず、吸熱器９で結露が行われ、この結露水は貯水タンク１９へと貯められることになる。
【００１６】
さて、吸熱器９を通過した空気は、この吸熱器９によって低温となるが、低温ながらも湿度は極めて高い状態となっている。この高い湿度を含んだ低温の空気は、次に除湿ローター１５の吸湿部１７を通過することになるのであるが、この吸湿部１７は、駆動手段２０により回転駆動されることにより図１の上方の放湿部１６部分ですでに放湿し、湿度が低い状態となっているものであるので、上記低温ながらも湿度は極めて高い状態の空気から湿気を吸湿することができる。このように、除湿ローター１５の吸湿部１７で更に除湿された空気が、第一の送風手段１１によって排気口３へと送風する。一方、第三の送風路１３では、第二の送風手段１４によって、第一の吸気口１から本体ケース４内に吸気した空気を放熱器７で加熱し、その空気を排気口３へと送風するものである。
【００１７】
すなわち、第一の送風路１０と第二の送風路１２を通り除湿された空気と、第三の送風路１３を通り加熱された空気が排気口３で集まり、排気口３から室内に送風されるものである。
【００１８】
本実施形態における特徴は、第二の送風路１２と第二の送風手段１４とを連通する連通路２１を備え、この連通路２１に静電霧化手段２２を設け、連通路２１の送風手段側に負圧発生手段２３を設けたことである。
【００１９】
すなわち、本実施形態では、第二の送風路１２の吸熱器９の上流側送風路と第二の送風手段１４とを連通する連通路２１を備え、この連通路２１に静電霧化手段２２を設け、この連通路２１の送風手段側に負圧発生手段２３を設けたので、第二の吸気口２から本体ケース４内に吸気した室内の空気を、負圧発生手段２３によって連通路２１の静電霧化手段２２に送り、この静電霧化手段２２によって室内の空気から帯電微粒子水２４を発生させる。この帯電微粒子水２４は除湿された乾燥空気と共に、排気口３から洗濯物に送風され、ここで、帯電微粒子水２４と洗濯物の臭気成分が反応し、帯電微粒子水２４中のヒドロキシラジカルによって臭気成分を分解除去することができるものである。つまり、ヒドロキシルラジカルとはヒドロキシ基（水酸基）に対応するラジカルであり、このラジカルは、通常は  ２個１組で軌道上を回転しているはずの電子が１つしかなく、電気的に非常に不安的であり、周りの原子や分子から欠けた電子を奪おうとするため、酸化力が強いものである。この酸化力によって臭気成分を分解除去することができるものである。
【００２０】
これらの結果により、洗濯物の生乾き部分からの臭い発生を抑制することができるものである。
【００２１】
これらの結果により、洗濯物を乾燥させるのに時間がかかる場合にも、洗濯物からの臭いの発生を抑制し、乾燥能力を更に高くすることができるものである。
【００２２】
また、図２、３に示すように、静電霧化手段２２は、放電電極２５と、この放電電極２５に対向して配置された対向電極２６と、放電電極２５と対向電極２６との間に高電圧を印加する高圧印加部２７と、放電電極２５を冷却する冷却部２８と、この冷却部２８の熱を放熱する放熱フィン部２９とから形成し、この放熱フィン部２９を第一の送風手段１１内に突出させ設けたものである。具体的には、放電電極２５は略四角平板形状の平板部３０と、この平板部３０の中央から垂直方向に延びた円柱形状の円柱部３１とから形成されている。この円柱部３１の先端側には、円柱部先端から所定の距離を有し略円筒形状の対向電極２６を備え、放電電極２５の円柱部３１の根元側には、平板部３０に接触した平板形状の冷却部２８であるペルチェ素子３２を設けている。このペルチェ素子３２の他面側には、放熱フィン部２９が接触し設けられている。放熱フィン部２９は、ペルチェ素子３２に接した放熱平板部３３と、この放熱平板部３３から垂直方向に延びた複数のフィン部３４から形成されたものである。この複数のフィン部３４が、第一の送風手段１１内に突出している。
【００２３】
ここで、静電霧化手段２２の動作について説明する。まず、ペルチェ素子３２に通電を行なうと、放電電極２５の平板部３０との接触面側から、放熱フィン部２９の放熱平板部３３との接触面側へ熱が移動する。つまり、放電電極２５の平板部３０から放熱フィン部２９へ熱が移動し、放電電極２５が冷却されることになる。これにより、放電電極２５の円柱部３１の先端部が冷却されるので、この先端部３５で結露が発生し、先端部３５表面に水が生成される。次に、高圧印加部２７によって、放電電極２５と対向電極２６との間に高電圧が印加すると、放電電極２５の先端部３５がマイナス電極となって電荷が集中し、先端部３５表面の水と対向電極２６との間にクーロン力が働いて、水が錘状に盛り上がる錘状部を形成する。この錘状部の先端に更に電荷が集中すると、水の表面張力を超えて分裂、飛散を繰返し、マイナスに帯電した帯電微粒子水２４を生成する。ここで、放電電極２５から放熱フィン部２９へ移動した熱が、放熱フィン部２９で冷却されることにより、放電電極２５から放熱フィン部２９へ熱の移動が繰り返されるものである。
【００２４】
すなわち、放熱フィン部２９は、第一の送風手段１１内に突出しており、この第一の送風手段１１には、吸熱器９によって結露が行われると共に、低温となった空気が流れ込むので、放熱フィン部２９の冷却が容易にでき、放電電極２５の円柱部３１の先端部３５での結露発生が容易にできる。
【００２５】
また、図３，４に示すように、第一の送風手段１１と第二の送風手段１４とは、両吸込型のケーシング３６と、このケーシング３６内に設けた電動機３７と、この電動機３７により回転する羽根３８とから形成し、ケーシング３６は、第一のケーシング３９と第二のケーシング４０とから形成し、羽根３８は主板４１の一方面から延びた第一のブレード部４２と、主板４１の他方面から延びた第二のブレード部４３とから成り、第一のケーシング３９と第二のケーシング４０との間に仕切板４４を備え、第一の送風手段１１は、電動機３７と第一のケーシング３９と羽根３８の第一のブレード部４２とから形成し、第二の送風手段１４は、電動機３７と第二のケーシング４０と羽根３８の第二のブレード部４３とから形成し、第二のケーシング４０の吐出口近傍に連通路２１を設けたものである。具体的には、第一の送風手段１１と第二の送風手段１４とは、両吸込型の送風手段４６によって形成され、一方の吸込側が第一の送風手段１１で、他方の吸込側が第二の送風手段１４である。つまり、両吸込型のケーシング３６内に電動機３７を設け、この電動機３７により回転する両吸込型の羽根３８を備えている。両吸込型のケーシング３６は、一方の吸込側である第一のケーシング３９と他方の吸込側である第二のケーシング４０とから形成し、羽根３８は、主板４１の一方面から延びた一方の吸込側である第一のブレード部４２と、主板４１の他方面から延びた他方の吸込側である第二のブレード部４３とから形成している。第一のケーシング３９と第二のケーシング４０との間であり、羽根３８の主板４１と同一平面上に仕切板４４を備えている。すなわち、この仕切板４４によって第一の送風手段１１と第二の送風手段１４とは仕切られ、第一の送風手段１１は、電動機３７と第一のケーシング３９と第一のブレード部４２とから形成し、第二の送風手段１４は、電動機３７と第二のケーシング４０と第二のブレード部４３とから形成している。ここで、第二の送風手段１４である第二のケーシング４０の吐出口４５近傍に連通路２１を設けたものである。
【００２６】
すなわち、第一の送風手段１１によって、第二の吸気口２から本体ケース４内に吸気した室内の空気を、第二の送風路１２の吸熱器９の上流側送風路から負圧発生手段２３によって連通路２１の静電霧化手段２２に送り、この静電霧化手段２２によって室内の空気から帯電微粒子水２４を発生させる。ここで、第二のケーシング４０の吐出口４５近傍に連通路２１を設けているので、静電霧化手段２２によって発生した帯電微粒子水２４は、第二の送風手段１４である第二のブレード部４３に当たることなく、第二の送風手段１４の送風によって、排気口３から室内に送風されるものである。結果として、静電霧化手段２２によって発生した帯電微粒子水２４が、第二の送風手段１４である第二のブレード部４３に当たることにより減少することを抑制することが出来る。
【００２７】
また、図４に示すように、負圧発生手段２３は、第二のケーシング４０の側周面４７から舌部４８側へ突出した突出部４９である。具体的には、突出部４９は、略四角形状の平板で、第二のケーシング４０の側周面４７から舌部４８側へ傾斜し、突出している。つまり、第二のケーシング４０の側周面４７の一部が、第二のケーシング４０の側周面４７から舌部側へ傾斜しているものである。
【００２８】
すなわち、第二の送風手段１４である第二のブレード部４３から、第二のケーシング４０内に送風される空気が、第二のケーシング４０内面側周面に沿うように、ケーシングの巻き始めである舌部４８付近からケーシングの巻き終わりである吐出口４５の方向に送風される。この途中で、一部の空気が、第二のケーシング４０内面側周面から負圧発生手段２３である突出部４９に沿って流れ、吐出口４５の方向に流れるものである。ここで、突出部４９に沿って流れる空気は、この突出部４９の風下側の端部から吐出口４５または第二のケーシング４０内面側周面方向に流れるが、この時に渦を発生する。この渦の部分が負圧になるので、連通路２１内の空気が第二のケーシング４０内に流れる。つまり、室内の空気が、第二の送風路１２の吸熱器９の上流側送風路から連通路２１の静電霧化手段２２に流れ、静電霧化手段２２によって発生した帯電微粒子水２４が、第二の送風手段１４によって、排気口３から室内に送風されるものである。結果として、静電霧化手段２２によって発生した帯電微粒子水２４が、負圧発生手段２３に当たることにより減少することを抑制することが出来る。
【００２９】
また、図３に示すように、負圧発生手段２３は、第二のケーシング４０の仕切板４４寄りに設けたものである。具体的には、突出部４９は、仕切板４４から延びた略四角形状の平板で、第二のケーシング４０側周面から舌部４８側へ傾斜し、突出している。
【００３０】
すなわち、負圧発生手段２３である突出部４９が、第二のケーシング４０の仕切板４４寄り、つまり、第二のケーシングの吸込口５０から離れて位置しているので、第二のケーシング４０内面側周面に沿うように、ケーシングの巻き始めである舌部４８付近からケーシングの巻き終わりである吐出口４５の方向に送風される空気は、第二のケーシングの吸込口５０寄りに比べ、第二のケーシング４０の仕切板４４寄りの方が風量が大きいので、負圧発生手段２３である突出部４９に沿って流れる風量も大きくなり、渦の発生も多くなる。そこで、第二の送風路１２の吸熱器９の上流側送風路から連通路２１の静電霧化手段２２に流れる風量が大きくなり、結果として、静電霧化手段２２によって発生する帯電微粒子水２４を増加させることができる。
【００３１】
また、図４に示すように、負圧発生手段２３は、連通路２１の一部である。具体的には、連通路２１は、第二のケーシング４０側周面から舌部４８側へ突出した略四角筒形状の略四角筒部で、第二のケーシング４０の仕切板４４に対して垂直方向に延びた一面が負圧発生手段２３の突出部４９である。
【００３２】
すなわち、負圧発生手段２３である突出部４９が、連通路２１である略四角筒形状の略四角筒部の一部を兼ねているので、第二のケーシング４０内に突出する部分をコンパクトにできるので、負圧発生手段２３および連通路２１に、第二のケーシング４０内の空気が当たり発生する風切り音を抑制することができる。
【００３３】
また、図３に示すように、静電霧化手段２２の放熱フィン部２９は、冷却部２８に接した放熱平板部３３と、この放熱平板部３３から垂直方向に延びた複数のフィン部３４から形成されたものである。具体的には、放熱フィン部２９は、冷却部２８に接した略四角平板形状の放熱平板部３３と、この放熱平板部３３から垂直方向に延びた略四角平板形状の複数のフィン部３４から形成されたものである。この略四角平板形状のフィン部３４は、隣合ったフィン部３４同士は所定の距離を有してほぼ平行に位置するものである。
【００３４】
すなわち、静電霧化手段２２の放熱フィン部２９は、冷却部に接した放熱平板部３３から垂直方向に延びた複数のフィン部３４により形成しているので、放熱フィン部２９の表面積が大きくなり、第一のケーシング３９内の空気との接触面積を大きくすることができるので、結果として、放熱フィン部２９からの放熱量を増やすことができる。
【００３５】
また、図３に示すように、静電霧化手段２２の放熱フィン部２９は、仕切板４４より第一の送風手段１１内に突出させたものである。具体的には、放熱フィン部２９は、冷却部２８に接した略四角平板形状の放熱平板部３３と、この放熱平板部３３から垂直方向に延びた略四角平板形状の複数のフィン部３４から形成されたものである。この略四角平板形状のフィン部３４は、仕切板４４より第一の送風手段１１内に突出させたものである。
【００３６】
すなわち、放熱フィン部２９であるフィン部３４が、第一のケーシング３９の仕切板４４より突出しており、つまり、第一のケーシングの吸込口５１から離れて位置しているので、第一のケーシング内面側周面に沿うように、ケーシングの巻き始めである舌部５３付近からケーシングの巻き終わりである吐出口５２の方向に送風される空気は、第一のケーシングの吸込口５１寄りに比べ、第一のケーシング３９の仕切板４４寄りの方が風量が大きいので、放熱フィン部２９に流れる風量が大きくなり、結果として、放熱フィン部２９からの放熱量を増やすことができる。
【００３７】
また、図５に示すように、静電霧化手段２２の放熱フィン部２９のフィン部３４は、略四角形平板形状で、第一の送風手段１１内の風向とほぼ平行に設けられたものである。具体的には、放熱フィン部２９は、冷却部２８に接した略四角平板形状の放熱平板部３３と、この放熱平板部３３から垂直方向に延びた略四角平板形状の複数のフィン部３４から形成されたものである。この略四角平板形状のフィン部３４は、隣合ったフィン部３４同士は所定の距離を有してほぼ平行に位置すると共に、第一の送風手段１１内の風向とほぼ平行に、つまり、近傍の第一のケーシング３９内面側周面とほぼ平行に設けたものである。
【００３８】
すなわち、第一の送風手段１１である第一のブレード部４２から、第一のケーシング３９内に送風される空気が、第一のケーシング３９内面側周面に沿うように、ケーシングの巻き始めである舌部５３付近からケーシングの巻き終わりである吐出口５２の方向に送風される。この途中で、一部の空気が、第一のケーシング３９内面側周面に沿いながら放熱フィン部２９の略四角平板形状の複数のフィン部３４に沿って平行に流れるので、複数のフィン部３４の表面全体に満遍なく空気が流れ、結果として、放熱フィン部２９からの放熱量を増やすことができる。
【産業上の利用可能性】
【００３９】
以上のように本発明は、第一、第二の吸気口と排気口を有する本体ケースと、この本体ケース内に設けられたヒートポンプとを備え、前記ヒートポンプは、圧縮機と、圧縮機の下流に順次設けた放熱器、膨張手段、吸熱器とにより形成し、前記第一の吸気口から本体ケース内に吸気した空気を放熱器、吸熱器を順次介して排気口へと送風する第一の送風路と、前記第二の吸気口から本体ケース内に吸気した空気を吸熱器を介して排気口へと送風する第二の送風路と、前記第一の吸気口から本体ケース内に吸気した空気を放熱器を介して排気口へと送風する第三の送風路と、これら第一、第二の送風路に送風するための第一の送風手段と、前記第三の送風路に送風するための第二の送風手段とを設けるとともに、前記第一の送風路の放熱器と吸熱器の間に除湿ローターの放湿部を設け、この除湿ローターの吸湿部は前記第一と第二の送風路の吸熱器と排気口の間に設け、前記第二の送風路の吸熱器の上流側送風路と前記第二の送風手段とを連通する連通路を備え、この連通路に静電霧化手段を設け、前記連通路の前記送風手段側に負圧発生手段を設けたものであり、洗濯物の生乾き部分からの臭い発生を抑制することができるものである。
【００４０】
すなわち、本発明では、第二の送風路の吸熱器の上流側送風路と第二の送風手段とを連通する連通路を備え、この連通路に静電霧化手段を設け、この連通路の送風手段側に負圧発生手段を設けたので、第二の吸気口から本体ケース内に吸気した室内の空気を、負圧発生手段によって連通路の静電霧化手段に送り、この静電霧化手段によって室内の空気から帯電微粒子水を発生させる。この帯電微粒子水は除湿された乾燥空気と共に、洗濯物に送風され、ここで、帯電微粒子水と洗濯物の臭気成分が反応し、帯電微粒子水中のヒドロキシラジカルによって臭気成分を除去することができるものである。つまり、ヒドロキシルラジカルとはヒドロキシ基（水酸基）に対応するラジカルであり、このラジカルは、通常は  ２個１組で軌道上を回転しているはずの電子が１つしかなく、電気的に非常に不安的であり、周りの原子や分子から欠けた電子を奪おうとするため、酸化力が強いものである。この酸化力によって臭気成分を除去することができるものである。
【００４１】
これらの結果により、洗濯物の生乾き部分からの臭い発生を抑制することができるものである。
【００４２】
従って、家庭用や事務所用などの、除湿装置として活用が期待されるものである。
【図面の簡単な説明】
【００４３】
【図１】本発明の一実施形態の断面図
【図２】同静電霧化手段を示す図
【図３】同送風手段を示す断面図
【図４】同第二の送風手段を示す断面図
【図５】同第一の送風手段を示す断面図
【図６】同除湿装置を示す図
【符号の説明】
【００４４】
１    第一の吸気口
２    第二の吸気口
３    排気口
４    本体ケース
５    ヒートポンプ
６    圧縮機
７    放熱器
８    膨張手段
９    吸熱器
１０  第一の送風路
１１  第一の送風手段
１２  第二の送風路
１３  第三の送風路
１４  第二の送風手段
１５  除湿ローター
１６  放湿部
１７  吸湿部
１８  ヒーター
１９  貯水タンク
２０  駆動手段
２１  連通路
２２  静電霧化手段
２３  負圧発生手段
２４  帯電微粒子水
２５  放電電極
２６  対向電極
２７  高圧印加部
２８  冷却部
２９  放熱フィン部
３０  平板部
３１  円柱部
３２  ペルチェ素子
３３  放熱平板部
３４  フィン部
３５  先端部
３６  ケーシング
３７  電動機
３８  羽根
３９  第一のケーシング
４０  第二のケーシング
４１  主板
４２  第一のブレード部
４３  第二のブレード部
４４  仕切板
４５  吐出口
４６  送風手段
４７  側周面
４８  舌部
４９  突出部
５０  第二のケーシングの吸込口
５１  第一のケーシングの吸込口
５２  吐出口
５３  舌部
【図１】
2010234252.tif 000003
【図２】
2010234252.tif 000004
【図３】
2010234252.tif 000005
【図４】
2010234252.tif 000006
【図５】
2010234252.tif 000007
【図６】
2010234252.tif 000008